(57)【要約】【課題】リードの挿入性と接続性に優れ、異物によるショートを防止できる温度ヒューズ付き端子台の提供を目的とする。【解決手段】温度ヒューズを備えた端子台において、端子台のハウジングには、裏側に向けて開口したコンタクト収納部を形成して裏面からコンタクトを収納し、ハウジングの表面に穿孔してリード挿入孔を設け、表面側からリード接続できるようにした。  この場合にリード挿入孔のコンタクト収納部側には、リードガイド部を形成し、リード挿入孔の表側には、テーパー面を形成するとよい。【選択図】  図１
2006079866.tif 000002
【特許請求の範囲】
【請求項１】
温度ヒューズを備えた端子台において、端子台のハウジングには、裏側に向けて開口したコンタクト収納部を形成して裏面からコンタクトを収納し、ハウジングの表面に穿孔してリード挿入孔を設け表面側からリード接続できるようにしたことを特徴とする温度ヒューズ付き端子台。
【請求項２】
端子台のハウジングに形成したリード挿入孔のコンタクト収納部側には、リードガイド部を形成したことを特徴とする請求項１記載の温度ヒューズ付き端子台。
【請求項３】
端子台のハウジングに形成したリード挿入孔の表側には、テーパー面を形成したことを特徴とする請求項１又は請求項２記載の温度ヒューズ付き端子台。
【発明の詳細な説明】
【技術分野】
【０００１】
本発明は、温度ヒューズを備えた端子台に係る。
【背景技術】
【０００２】
空調機や給湯器等には室内機と室外機をケーブルで接続するために端子台が用いられ、この種の端子台には、ターミナル端子に接続したケーブルが接続不良である場合に通電時の発熱を検知する温度ヒューズが取り付けられている。
温度ヒューズは交換できるように従来は、図６（イ）に示すように、端子台１１０に中継用の２つのコンタクト１３０ａ、１３０ｂを備え、入力側リード１１５ａ、１１６ａと、出力側リード１１５ｂ、１１６ｂを接続し、入力側中継用のコンタクト１３０ａと出力側中継用のコンタクト１３０ｂの間に温度ヒューズ１１７を接続している。
温度ヒューズ１１７を交換する場合には、コンタクト１３０ａから入力側リード１１６ａを抜き、コンタクト１３０ｂから出力側リード１１６ｂを抜きヒューズ１１７を取り外して交換する。
このコンタクト１３０ａ、１３０ｂへの各リードの接続は、図６（ロ）にコンタクト部分を透視した要部図を示し、図７にコンタクトの斜視図を示すように、コンタクト１３０ａ、１３０ｂに設けたリード挿入孔１２３から各リードを挿し込んで、コンタクト１３０ａのバネ部１３２と板状の導電部１３３の間の接続部１３１にリードの芯線を挿入挟持させる。
図８（イ）、図８（ロ）は図６（イ）のコンタクト付近の縦断面に対応した説明図を示す。
リード１１５はリード挿入孔１２３に芯線１１６を挿入し、接点部１３１へと挿入挟持させている。
従来の端子台ではリード挿入孔１２３が小さいので、表側にこのリード挿入孔を形成して取り付け性を確保するためにコンタクトも端子台の表側に収納部を形成して取り付けていた。
しかし、それでは図８（イ）に示すように、端子台１１０の表側１１１に、むき出しに嵌め込んだコンタクト１３０ａ、１３０ｂ間に導電性の異物１０１が落下して載ってしまい、コンタクト１３０ａ、１３０ｂ間がショートしてしまう危険性があった。
また、コンタクト１３０ａ、１３０ｂは金属板をプレス加工等により製作しているが、例えばリード１１５ｃのように斜め向きにした状態で接続部１３１に接続してしまい、芯線１１６ｃが接続不良となる恐れもあった。
特開平１０−１０６６５３号公報にはタブ状の端子をヒューズ装着部に向けて立ち上げ、その端子に切欠を設けてヒューズを嵌合させる構造を開示するが、接続性や異物によるショート防止に問題があった。
【０００３】
【特許文献１】特開平１０−１０６６５３号公報
【発明の開示】
【発明が解決しようとする課題】
【０００４】
本発明は上記技術的課題に鑑みて、リードの挿入性と接続性に優れ、異物によるショートを防止できる、温度ヒューズ付き端子台の提供を目的とする。
【課題を解決するための手段】
【０００５】
本発明の技術的要旨は、温度ヒューズを備えた端子台において、端子台のハウジングには、裏側に向けて開口したコンタクト収納部を形成して裏面からコンタクトを収納し、ハウジングの表面に穿孔してリード挿入孔を設け表面側からリード接続できるようにした点にある。
【０００６】
ここで、裏側に向けて開口したコンタクト収納部とは、ハウジングの裏面から表面へ向けてコンタクトを収納する凹部を形成して、その凹部にコンタクトを挿入保持する趣旨である。
コンタクトには、ハウジング表側（コンタクト収納部奥側）方向にリード接続部を形成している。
また、ハウジングの表面に穿孔してリード挿入口を設けたことにより、端子台のハウジングの表側はコンタクトに対してカバー壁面として作用することになる。
これにより、異物がコンタクト上に落ちることを防止し、導電性の異物によるコンタクト間のショートを防止出来る。
通常、コンタクトは温度ヒューズ入力側のリード（ワイヤ）線を接続する入力側中継用と、出力側のリード（ワイヤ）線を接続する出力側中継用の少なくとも２つをハウジングに備えて、温度ヒューズをコンタクト間に接続し、温度ヒューズへの通電はコンタクトを介して行うことになる。
【０００７】
端子台のハウジングに形成したリード挿入孔の表側内周に、孔内壁を表側に向けて拡げるように傾斜させたリード呼び込み用のテーパー面を設けると、リードの接続性が向上するだけでなく、リードの外側被覆部とリード挿入孔内径とをフィットさせて、リードの保持ができる。
リード挿入孔のコンタクト側にはリードの接続部分付近までリードガイド部を設けると、さらにリードの接続性が向上する。
このリードガイド部は、例えばモールドにコンタクト収納部の表側壁面から、コンタクトの接続部に向けてリード挿入孔内壁を延出させるように設けると良い。
これによりリードの挿入方向がリードガイド部で確実に定まり、リード芯線をリード接続部へと正確に導いて接続するため、リードの斜め挿入取り付けによる接続不良を防止出来る。
【発明の効果】
【０００８】
本発明に係る温度ヒューズ付き端子台においては、コンタクトをハウジング裏側に開口したコンタクト収納部を設けて収納し、コンタクトの表側をハウジングにてカバーしたため、コンタクト上への異物落下を防止して、導電性の異物によるコンタクト間のショートを防止する。
そして、リード挿入孔内壁にテーパー面を設けると、リードはリード挿入孔に挿入しやすく、また、リード挿入孔のコンタクト収納部側にコンタクトのリード接続部へ向けて延出したリードガイド部を設けると、リードの斜め接続を防止する。
【発明を実施するための最良の形態】
【０００９】
本発明に係る温度ヒューズ付き端子台の実施例について図面を用いて説明する。
図１（イ）は端子台の平面図を示し、図１（ロ）は端子台１０のコンタクト３０ａ、３０ｂ部分を透視して描いた要部斜視図で、リードを挿入する状態を示す。
この端子台１０は例えばエアコンや給湯器等に使用され、室内機と室外機をケーブルで接続するために使用される。
図５に本発明に係る端子台にケーブルを接続する例を示す。
端子台１０の右側面には、ケーブル１の芯線１ａを挿入するケーブル挿入孔を設け、このケーブル挿入孔にケーブル芯線１ａを挿し込むことで、例えばバネ部材を用いてターミナル端子にケーブル芯線１ａを押し付け挟持してターミナル端子１３とケーブル１とを接続している。
ターミナル端子１３の接続部１３ａには機内回路を接続する。
【００１０】
図１（ロ）に示すように、端子台１０のハウジング２０には、凹部状のコンタクト収納部２１を端子台の裏側１２にコンタクトの挿入口２２を開口させて設けている。
このコンタクト収納部２１には、コンタクト収納部の奥側（端子台表側）２１ａにつきあてるようにコンタクト３０ａ、３０ｂを装着している。
図１（イ）に示すように、機内回路に接続するコネクタ１４に接続したハーネスのリード１５ａは入力側中継用のコンタクト３０ａを介して温度ヒューズのリード１６ａに接続し、温度ヒューズのリード１６ｂは出力側中継用のコンタクト３０ｂを介してハーネスのリード１５ｂによりコネクタ１４に接続している。  
端子台１０の端子１３にケーブルを接続し通電した際に、端子台温度がケーブルの接続不良により設定温度以上に上昇した場合にヒューズ通電電流により温度ヒューズ１７が溶断することで、ターミナル端子における接続不良を検出する構造となっている。
温度ヒューズ１７の交換はリード１６ａ、１６ｂをコンタクトから抜き取って行う。
図１（ロ）に示すように、コンタクト３０ａ、３０ｂは、端子台の裏側１２に凹部状のコンタクト収納部２１を設けて嵌め込む構造とすることで端子台１０の表側１１の表面との間に所定の厚みを備えたカバー部２０ａが形成され、このカバー部２０ａに端子台表側１１の表面からコンタクト収納部２１にまで貫通したリード挿入孔２３を設けている。
コンタクトの斜視図を図２に示すように、コンタクト３０ａは板バネ状のバネ部３２とバネ部と対向した導電部３３を備えている。
バネ部３２は先端から中央付近を凹ませた溝部３２ａを備えており、リード芯線は、導電部３３とバネ部溝部３２ａ部分との間のリード接続部３１へ挿し込み、バネ部３２の弾性力で導電部３３との間にリード芯線を押圧挟持して接続する。
【００１１】
図１（イ）におけるＡ−Ａ線断面図のコンタクト部分を図３（イ）に、Ｂ−Ｂ線断面のコンタクト部分を図３（ロ）に示す。
コンタクト３０ａ、３０ｂは端子台の裏側２２に開口した凹部であるコンタクト収納部２１へ勘合させていることから、コンタクト３０ａ、３０ｂの表側はハウジング２０のモールドでカバー部２０ａを形成して覆っている。
これにより異物がコンタクト３０ａ、３０ｂ上に落ちることを防止し、導電性の異物落下によるコンタクト３０ａ、３０ｂ間のショートを防止している。
カバー部２０ａには、ハウジング２０外側（表面）からリード接続部３１に向けて貫通するリード挿入孔２３を設けている。
リード挿入孔２３の内壁は、リードの挿入方向に沿って径を小さくしたテーパー面２３ａとしている。
このテーパー面２３ａを形成することで、リード１５，１６をリード挿入孔２３に簡単に挿入可能となり、また、挿入したリードの位置は内側の小さい内径部分で定まる。
リード挿入孔２３のコンタクト側は、コンタクト収納部２１の奥側壁面２１ｂをリード接続部３１へ向けて、リード挿入孔２３内壁を略延出させるようにリブ状に突出させ、リードガイド部２４を形成している。
リードガイド部２４は、奥側壁面２１ｂから図３（ロ）に示すようにコンタクト導電部３３とコンタクトバネ部３２の間に向けてハウジング２０と一体で形成している。
これにより、リードの挿入方向をリードガイド部２４で定め、リード芯線１５ｃ、１６ｃをリード接続部３１にスムーズに導いて接続させることが出来、リードの斜め挿入取り付けによる接続不良を防止する。
【００１２】
図４にてリード接続部へのリードの接続方法について説明する。
図４は図３（イ）、図３（ロ）に示す端子台の縦断面図を並べて描いている。
リード１５、１６は、まずリード芯線１５ｃを図４（イ）に示すようにリード挿入孔２３へと挿入する。
この挿入はリード挿入孔内壁にテーパー面２３ａを形成してあり挿入しやすい。
そして図４（ロ）に示すようにリード１５、１６を更に挿し込むとリード芯線１５ｃ、１６ｃは、まず、リード接続部３１へ向けてリード芯線外形にフィットするサイズまで収束しているテーパー面２３ａにより位置決めされる。
更にリード芯線１５ｃ、１６ｃはコンタクト３０ａ、３０ｂのバネ部３２と導電部３３との間に先端を臨ませているリードガイド部２４にガイドされてリード接続部３１へと挿し込まれていく。
次いでバネ部３２に形成されている溝部３２ａに沿って更に挿入されて、図４（ハ）に示す接続完了状態となる。
このようにリードの挿入接続は簡単に、確実に行える。
【図面の簡単な説明】
【００１３】
【図１】（イ）本発明に係る温度ヒューズ付き端子台の平面図を示す。（ロ）コンタクト付近の要部透視斜視図を示す。
【図２】コンタクトの斜視図を示す。
【図３】（イ）Ａ−Ａ線断面のコンタクト部分を現した説明図を示す。（ロ）Ｂ−Ｂ線断面のコンタクト部分を現した説明図を示す。
【図４】リードの接続方法の説明図を示す。
【図５】端子台にケーブルを接続した状態の説明図を示す。
【図６】従来の端子台例を示す。
【図７】従来のコンタクト例を示す。
【図８】従来の接続方法を示す。
【符号の説明】
【００１４】
１      ケーブル
１ａ    ケーブル芯線
１０    温度ヒューズ付き端子台
１１    端子台表側（表面）
１２    端子台裏側（裏面）
１３    ターミナル端子
１３ａ  ターミナル端子接続部
１４    コネクタ
１５、１５ａ、１５ｂ  ハーネスのリード
１５ｃ  ハーネスのリードの芯線
１６、１６ａ、１６ｂ  温度ヒューズのリード
１６ｃ  温度ヒューズのリードの芯線
１７    温度ヒューズ
２０    ハウジング
２０ａ  カバー部
２１    コンタクト収納部
２１ａ  コンタクト収納部の奥側（端子台表側）
２１ｂ  コンタクト収納部の奥側（端子台表側）壁面
２２    コンタクト挿入口
２３    リード挿入孔
２３ａ  テーパー面
２４    リードガイド部
３０ａ、３０ｂ  コンタクト
３１    コンタクトリード接続部
３２    コンタクトバネ部
３２ａ  コンタクトバネ部溝
３３    コンタクト導電部
【図１】
2006079866.tif 000003
【図２】
2006079866.tif 000004
【図３】
2006079866.tif 000005
【図４】
2006079866.tif 000006
【図５】
2006079866.tif 000007
【図６】
2006079866.tif 000008
【図７】
2006079866.tif 000009
【図８】
2006079866.tif 000010